(57)【要約】【課題】  識別手段、及び複数の集積部の保守、点検作業及びジャム紙葉類の除去作業を容易に行うことを可能とする。【解決手段】  利用者が対面する側に設けられ、紙幣Ｐを投入させる載置部２と、この載置部２に投入された紙幣Ｐを搬送する第１及び第２の搬送経路１１，１４と、第１の搬送経路１１によって搬送される紙幣Ｐを識別する識別部１２と、この識別部１２の識別結果に応じて紙幣Ｐを区分集積する複数の排出部３ａ〜３ｃとを具備し、載置部２、搬送経路１１，１４、識別部１２、及び複数の排出部３ａ〜３ｃは、利用者が対面する側の同一垂直面に沿って配設される。【選択図】      図２
2005346154.tif 000002
【特許請求の範囲】
【請求項１】
利用者が対面する側に設けられ、紙葉類を投入させる投入部と、
この投入部に投入された紙葉類を搬送する搬送手段と、
この搬送手段によって搬送される紙葉類を識別する識別手段と、
この識別手段の識別結果に応じて前記紙葉類を区分集積する複数の集積部と
を具備し
前記投入部、搬送手段、識別手段、及び複数の集積部は、前記利用者が対面する側の同一垂直面に沿って配設されたことを特徴とする紙葉類処理装置。
【請求項２】
前記投入部及び複数の集積部は、前記装置本体の上部側にその幅方向に亘って並列に配設されたことを特徴とする請求項１記載の紙葉類処理装置。
【請求項３】
前記複数の集積部は同一高さで配設されることを特徴とする請求項２記載の紙葉類処理装置。
【請求項４】
前記紙葉類は複数金種の紙幣であることを特徴とする請求項１乃至３のいずれか一項に記載の紙葉類処理装置。
【請求項５】
前記集積部は、利用者と対向する方向及び集積する紙葉類の搬送方向が開放される構成とする請求項１乃至３のいずれか一項に記載の紙葉類処理装置。
【発明の詳細な説明】
【技術分野】
【０００１】
本発明は、例えば、紙幣をその金種などに応じて区分集積し、或いは、紙幣を所定枚数ずつ結束する紙葉類処理装置に関する。
【背景技術】
【０００２】
この種の紙葉類処理装置には、投入部としての載置部に紙幣を複数枚積層状態で投入させてセットし、このセットされた紙幣を一枚ずつ取込んで搬送し、その金種、真偽、表裏の向きなどを鑑査部で判別し、この判別結果に基づいて紙幣を複数の集積部に区分集積し、或いは、鑑査した紙幣を結束部に搬送して所定枚数ずつ結束材で結束処理するものがある（例えば、特許文献１参照。）。
【特許文献１】特開平８−２３５４０６号公報
【発明の開示】
【発明が解決しようとする課題】
【０００３】
しかしながら、従来においては、上記した投入部を装置本体の対面するフロント側に設け、識別部及び複数の集積部を装置本体の奥行き方向に亘って配設していたため、識別部及び集積部の保守点検作業時、或いは、詰まった紙幣の除去作業時等には、手前側に位置する投入部が邪魔になるとともに、利用者は手を装置本体内の奥深くへ挿入しなければならず、作業性が悪いという不都合があった。
【０００４】
本発明は上記事情に着目してなされたもので、その目的とするところは、投入部が邪魔になったり、手を奥深くに挿入するといったことなく、識別部及び集積部の保守点検、或いは、詰まった紙葉類の除去作業を行うことができる紙葉類処理装置を提供することにある。
【課題を解決するための手段】
【０００５】
上記課題を解決するため、請求項１記載の発明は、利用者が対面する側に設けられ、紙葉類を投入させる投入部と、この投入部に投入された紙葉類を搬送する搬送手段と、この搬送手段によって搬送される紙葉類を識別する識別手段と、この識別手段の識別結果に応じて前記紙葉類を区分集積する複数の集積部とを具備し、前記投入部、搬送手段、識別手段、及び複数の集積部は、前記利用者が対面する側の同一垂直面に沿って配設されたことを特徴とする。
【発明の効果】
【０００６】
本発明によれば、識別手段、及び複数の集積部の保守点検作業、ジャム紙葉類の除去作業等を容易に行うことができる。
【発明を実施するための最良の形態】
【０００７】
以下、本発明を図面に示す実施の形態を参照して詳細に説明する。  
図１は本発明の一実施の形態である紙葉類処理装置としての紙幣整理機の外観を示すものである。
【０００８】
図１中１は装置本体で、この装置本体１の利用者が対面するフロント側の一側部側には紙葉類としての紙幣Ｐを各金種混合状態で投入させて載置する投入部としての載置部２が設けられている。この載置部２に載置された紙幣Ｐはその下部側のものから後述する取込ローラにより取込まれるようになっている。装置本体１の上面部には、フロント側に位置して横方向に並列に階段状となるよう第１乃至第３の集積部としての排出部３ａ〜３ｃが配設されている。これら第１乃至第３の排出部３ａ〜３ｃには、金種別に紙幣が区分排出されて集積される。第１の排出部３ａには、例えば、千円紙幣、第２の排出部３ｂには一万円紙幣、第３の排出部３ｃにはリジェクト紙幣が排出される。
【０００９】
装置本体１の上面部には、排出部３ａ〜３ｃの後方に位置して操作部４及び表示部５が設けられている。操作部４は、例えば、計数分類処理モード、或いは、結束処理モードを選択的に設定できるようになっている。また、装置本体１の前面部には、開閉扉１ａが設けられ、開閉扉１ａを開くことにより、装置本体１内部を開放できるようになっている。
【００１０】
図２は、紙幣整理機の内部構成を概略的に示すものである。
【００１１】
載置部２の下部側には紙幣Ｐを取込む取込ローラ７ａ，７ｂが配設されている。取込ローラ７ａ，７ｂの紙幣取込側には供給ローラ８が設けられ、この供給ローラ８の上面部には紙幣を一枚ずつ分離するための分離ローラ９が転接されている。分離ローラ９によって分離された紙幣Ｐは第１の搬送経路（搬送手段）１１に沿って搬送される。この第１の搬送経路１１の中途部には紙幣Ｐの金種、表裏、真偽等を識別する識別手段としての識別部１２が設けられている。
【００１２】
第１の搬送経路１１の紙幣搬送方向下流側には切替ゲート１３を介して第２及び第３の搬送経路１４，１５が接続されている。第２の搬送経路１４は紙幣Ｐを上記した第１乃至第３の排出部３ａ〜３ｃに搬送するものである。第２の搬送経路１４の中途部には、第１及び第２の切替ゲート１７，１８が配設され、これら第１及び第２の切替ゲート１７，１８の切替動作により紙幣Ｐが第１乃至第３の排出部３ａ〜３ｃへ選択的に搬送される。第１乃至第３の排出部３ａ〜３ｃの下部側には紙幣Ｐを排出するための排出ローラ対２０ａ〜２０ｃが配設されている。
【００１３】
これら第１乃至第３の排出部３ａ〜３ｃは、図に示すように階段状に形成され利用者の操作立ち位置Ａに対向する方向及び紙幣Ｐの搬出方向が開放されるよう構成される。
【００１４】
一方、上記した第３の搬送経路１５の紙幣搬送方向下流側には表裏反転機構２２が接続されている。表裏反転機構２２で表裏が揃えられた紙幣は第４の搬送経路２４を介して集積部２６に搬送されて集積されるようになっている。集積部２６には紙幣Ｐが所定枚数、例えば１００枚集積される。
【００１５】
集積部２６の下方部には、集積紙幣を施封部３０へ搬送する搬送機構２８が設けられている。搬送機構２８は複数のローラ４３間に掛け渡されて走行する搬送ベルト４４を備え、この搬送ベルト４４の上面部に集積紙幣を載置して搬送するようになっている。
【００１６】
施封部３０は、搬送ベルト４４によって搬送されてくる集積紙幣を上下からクランプして受取るクランプ部材（図示しない）と、このクランプ部材間に挾持される紙幣Ｐに結束テープ３６を巻付けるテープ巻付け機構３３と、結束テープ３６を所定の長さに切断するカッタ３４と、結束テープ３６の重合端部を熱接着するヒータ３５等を備えている。テープ巻付け機構３３は一対の巻付けアーム４６を回動自在に備えている。
【００１７】
結束テープ３６は供給リール３７から供給ルート３８に沿って供給され、供給ルート３８の中途部には結束テープ３６に銀行の支店名、処理の日付け、通番等を印字する印字部４０が設けられている。印字部４０は印字ヘッド４１とこの印字ヘッド４１に対向するプラテンローラ４２を備えている。
【００１８】
次に、上記した紙幣整理機の処理動作について説明する。
【００１９】
まず、装置本体１の載置部２に混合金種の紙幣Ｐを積層状態で投入載置し、操作部４によって、計数分類処理モード或いは、結束処理モードを設定する。
【００２０】
この状態から取込ローラ７ａ，７ｂを回転駆動する。これにより、紙幣Ｐが取込まれ、供給ローラ８と分離ローラ９の回転により紙幣Ｐが一枚ずつ分離されて供給される。この紙幣Ｐは第１の搬送経路１１を介して識別部１２へ送られて識別される。
【００２１】
操作部４によって、例えば、計数分類処理モードが設定されていた場合には、識別された紙幣は第２の搬送経路１４を介して第１乃至第３の排出部３ａ〜３ｃに向かって搬送される。識別された紙幣が例えば千円券である場合には、第１の振分ゲート１７の動作により、第１の排出ローラ対２０ａに送られ、この第１の排出ローラ対２０ａの回転により、第１の排出部３ａに排出される。識別された紙幣が例えば万円券である場合には、第２の振分ゲート１８の動作により、第２の排出ローラ対２０ｂに送られ、この第２の排出ローラ対２０ｂの回転により、第２の排出部３ｂに排出される。識別された紙幣が例えば２枚重なり紙幣、連鎖紙幣、偽紙幣等の識別不能紙幣、分類金種紙幣以外の金種紙幣である場合には、第３の排出ローラ対２０ｃに送られ、この第３の排出ローラ対２０ｃの回転により、第３の排出部３ｃに排出される。
【００２２】
一方、操作部４によって、結束処理モードが設定されていた場合には、予め結束する紙幣の金種を指定しておくと、指定金種の紙幣は切替ゲート１３を介して第３の搬送経路１５へ送られて表裏反転機構２２に搬送される。この表裏反転機構２２に送られた紙幣は一方の面に揃えられたのち第４の搬送経路２４を介して集積部２６に送り込まれる。
【００２３】
このとき、指定された金種以外の紙幣は計数分類処理モード時と同様に第１乃至第３の排出部３ａ〜３ｃに排出される。
【００２４】
集積部２６に所定枚数（例えば１００枚）の紙幣が集積されると、集積部２６から搬送ベルト４４上に移載される。この移載された集積紙幣は搬送ベルト４４の走行により施封部３０に搬送され図示しない挾持片により挾持される。また、このとき、供給リール３７から結束テープ３６が供給され、この結束テープ３６の表面には印字部４０により銀行の支店名、処理の日付け、通番等が印字される。この結束テープ３６は所定長さ送り出されると、カッタ３４により切断されたのち、一対の巻付アーム４６の回動により、集積紙幣の囲りに巻付けられる。この巻付け後、結束テープ３６の両端重合部にヒータ３５が押し付けられて加熱される。これにより結束テープ３６が接着されて結束され、この結束された紙幣把は収納部に放出されて収納されることになる。
【００２５】
ところで、上記した載置部２、識別部１２、第１及び第２の搬送経路１１，１４，さらに、第１乃至第３の排出部３ａ〜３ｃは、利用者が対面するフロント側の同一垂直面に沿って配設されている。また、上記した載置部２、第１乃至第３の排出部３ａ〜３ｃは装置本体１の幅方向に亘って並列に配設され、第１乃至第３の排出部３ａ〜３ｃは、高さが全て等しくされている。
【００２６】
利用者は、図１に示す装置本体フロント側の立ち位置Ａに立った状態で載置部２に紙幣Ｐを投入載置する。
【００２７】
また、利用者は、第１乃至第３の排出部３ａ〜３ｃに排出されて集積された紙幣Ｐを立ち位置Ａに立った状態で取出す。
【００２８】
一方、上記した識別部１２、第１及び第２の搬送経路１１，１４，さらに、第１乃至第３の排出部３ａ〜３ｃを保守、点検する場合、或いは、詰まった紙幣を除去する場合には、図１に示す装置本体１のフロントカバー１ａを開いて図２に示すように、識別部１２、第１及び第２の搬送経路１１，１４，さらに、第１乃至第３の排出部３ａ〜３ｃを開放する。この開放後、識別部１２、第１及び第２の搬送経路１１，１４，さらに、第１乃至第３の排出部３ａ〜３ｃの保守、点検、或いは、詰まった紙幣の除去を行う。
【００２９】
上記したように、この実施の形態によれば、装置本体１の利用者が対面する側の同一垂直面に沿って載置部２、識別部１２、第１及び第２の搬送経路１１，１４，さらに、第１乃至第３の排出部３ａ〜３ｃを配設するため、載置部２が邪魔になることなく、また、手を奥深く挿入することなく、保守、点検、或いは、詰まった紙幣の除去を行うことができ、作業性が優れる。
【００３０】
また、装置本体１の奥方向の寸法を短縮化でき、装置本体１の奥方向の占有スペースを削減することができる。
【００３１】
さらに、載置部２、及び第１乃至第３の排出部３ａ〜３ｃを装置本体１の幅方向（横方向）に亘って並列に配設するため、利用者は載置部２に対する紙幣の投入と、第１乃至第３の排出部３ａ〜３ｃからの紙幣の取出しを同じ姿勢で、また、視線を大きく動かすことなく行うことができ、作業性が優れる。
【００３２】
また、第１乃至第３の排出部３ａ〜３ｃの高さを全て同じ高さとするため、第１乃至第３の排出部３ａ〜３ｃに対し、同一の動作でアクセスすることができ、作業性が優れる。
【００３３】
なお、本発明は、上記一実施の形態に限られることなく、その要旨の範囲内で種々変形実施可能なことは勿論である。
【図面の簡単な説明】
【００３４】
【図１】本発明の一実施の形態である紙葉類処理装置を示す外観斜視図。
【図２】同紙葉類処理装置の内部構成を示す図。
【符号の説明】
【００３５】
１…装置本体，１ａ…開閉扉、２…載置部（投入部）、３ａ〜３ｃ…排出部（集積部）、Ｐ…紙幣（紙葉類）、１１…第１の搬送経路（搬送手段）、１２…鑑別部（識別手段）、１４…第２の搬送経路（搬送手段）。
【図１】
2005346154.tif 000003
【図２】
2005346154.tif 000004